(57)【要約】【課題】外部から提供される電話番号またはメールアドレスに対して補足情報を付加することにより、それらの電話番号またはメールアドレスの信頼度を向上させる。【解決手段】中央演算処理装置２０１は、携帯端末装置２０１が受信したデータ中に含まれる電話番号と、内蔵メモリ２０２に既に記憶されている電話番号との照合を行い、電話番号が内蔵メモリ２０２に記憶されている電話番号と一致する場合には、その電話番号に関して内蔵メモリに記憶されている情報を表示画面２０３に表示し、電話番号が内蔵メモリ２０２に記憶されている電話番号と一致しない場合には、その旨を表示画面２０３に表示する。【選択図】図２
2008244724.tif 000002
【特許請求の範囲】
【請求項１】
無線通信を司る無線部と、各種データを記憶するメモリまたは外部のメモリに記憶されているデータを読み出す外部メモリインターフェイスと、データを表示する表示画面を有する表示装置と、前記無線部、前記メモリ及び前記表示装置の動作を制御する中央演算処理装置と、を備える携帯端末装置であって、
前記中央演算処理装置は、
前記携帯端末装置が受信またはアクセスしたデータ中に含まれる電話番号またはメールアドレスと、前記メモリに既に記憶されている電話番号またはメールアドレスとの照合を行い、
前記電話番号または前記メールアドレスが前記メモリに既に記憶されている電話番号またはメールアドレスと一致する場合には、前記電話番号または前記メールアドレスに関して前記メモリに記憶されている情報を前記表示装置の前記表示画面に表示し、
前記電話番号または前記メールアドレスが前記メモリに既に記憶されている電話番号またはメールアドレスと一致しない場合には、前記電話番号または前記メールアドレスは前記メモリには記憶されていない旨を前記表示画面に表示することを特徴とする携帯端末装置。
【請求項２】
前記中央演算処理装置は、前記電話番号または前記メールアドレスに対して発呼またはメール送信を行うか否かの問い合わせを前記表示画面に表示し、ユーザが発呼またはメール送信を行うことを選択した場合には、前記電話番号または前記メールアドレスに対して発呼またはメール送信を行うことを特徴とする請求項１に記載の携帯端末装置。
【請求項３】
無線通信を司る無線部と、各種データを記憶するメモリまたは外部のメモリに記憶されているデータを読み出す外部メモリインターフェイスと、データを表示する表示画面を有する表示装置と、前記無線部、前記メモリ及び前記表示装置の動作を制御する中央演算処理装置と、を備える携帯端末装置であって、
前記中央演算処理装置は、
前記携帯端末装置が受信またはアクセスしたデータ中に含まれる電話番号またはメールアドレスと、インターネット上において公開されている電話番号またはメールアドレスとの照合を行い、
前記電話番号または前記メールアドレスが前記インターネット上において公開されている電話番号またはメールアドレスと一致する場合には、前記電話番号または前記メールアドレスに関して前記インターネット上において公開されている情報を前記表示装置の前記表示画面に表示し、
前記電話番号または前記メールアドレスが前記インターネット上において公開されている電話番号またはメールアドレスと一致しない場合には、前記電話番号または前記メールアドレスは前記インターネット上において公開されている情報ではない旨を前記表示画面に表示することを特徴とする携帯端末装置。
【請求項４】
前記中央演算処理装置は、前記電話番号または前記メールアドレスに対して発呼またはメール送信を行うか否かの問い合わせを前記表示画面に表示し、ユーザが発呼またはメール送信を行うことを選択した場合には、前記電話番号または前記メールアドレスに対して発呼またはメール送信を行うことを特徴とする請求項３に記載の携帯端末装置。
【請求項５】
前記携帯端末装置は携帯電話装置からなるものであることを特徴とする請求項１乃至４の何れか一項に記載の携帯端末装置。
【請求項６】
無線通信を司る無線部と、各種データを記憶するメモリまたは外部のメモリに記憶されているデータを読み出す外部メモリインターフェイスと、データを表示する表示画面を有する表示装置と、を備える携帯端末装置の使用方法であって、
前記携帯端末装置が受信またはアクセスしたデータ中に含まれる電話番号またはメールアドレスと、前記メモリに既に記憶されている電話番号またはメールアドレスとの照合を行う第一の過程と、
前記電話番号または前記メールアドレスが前記メモリに既に記憶されている電話番号またはメールアドレスと一致する場合には、前記電話番号または前記メールアドレスに関して前記メモリに記憶されている情報を前記表示画面に表示し、前記電話番号または前記メールアドレスが前記メモリに既に記憶されている電話番号またはメールアドレスと一致しない場合には、前記電話番号または前記メールアドレスは前記メモリには記憶されていない旨を前記表示画面に表示する第二の過程と、
を備えることを特徴とする携帯端末装置の使用方法。
【請求項７】
前記電話番号または前記メールアドレスに対して発呼またはメール送信を行うか否かの問い合わせを前記表示画面に表示する第三の過程と、
ユーザが発呼またはメール送信を行うことを選択した場合には、前記電話番号または前記メールアドレスに対して発呼またはメール送信を行う第四の過程と、
を備えることを特徴とする請求項６に記載の携帯端末装置の使用方法。
【請求項８】
無線通信を司る無線部と、データを表示する表示画面を有する表示装置と、を備える携帯端末装置の使用方法であって、
前記携帯端末装置が受信またはアクセスしたデータ中に含まれる電話番号またはメールアドレスと、インターネット上において公開されている電話番号またはメールアドレスとの照合を行う第一の過程と、
前記電話番号または前記メールアドレスが前記インターネット上において公開されている電話番号またはメールアドレスと一致する場合には、前記電話番号または前記メールアドレスに関して前記インターネット上において公開されている情報を前記表示装置の前記表示画面に表示し、前記電話番号または前記メールアドレスが前記インターネット上において公開されている電話番号またはメールアドレスと一致しない場合には、前記電話番号または前記メールアドレスは前記インターネット上において公開されている情報ではない旨を前記表示画面に表示する第二の過程と、
を備えることを特徴とする携帯端末装置の使用方法。
【請求項９】
前記電話番号または前記メールアドレスに対して発呼またはメール送信を行うか否かの問い合わせを前記表示画面に表示する第三の過程と、
ユーザが発呼またはメール送信を行うことを選択した場合には、前記電話番号または前記メールアドレスに対して発呼またはメール送信を行う第四の過程と、
を備えることを特徴とする請求項８に記載の携帯端末装置の使用方法。
【請求項１０】
無線通信を司る無線部と、各種データを記憶するメモリと、データを表示する表示画面を有する表示装置と、を備える携帯端末装置の使用方法をコンピュータに実行させるためのプログラムであって、
前記プログラムが行う処理は、
前記携帯端末装置が受信またはアクセスしたデータ中に含まれる電話番号またはメールアドレスと、前記メモリに既に記憶されている電話番号またはメールアドレスとの照合を行う第一の処理と、
前記電話番号または前記メールアドレスが前記メモリに既に記憶されている電話番号またはメールアドレスと一致する場合には、前記電話番号または前記メールアドレスに関して前記メモリに記憶されている情報を前記表示画面に表示し、前記電話番号または前記メールアドレスが前記メモリに既に記憶されている電話番号またはメールアドレスと一致しない場合には、前記電話番号または前記メールアドレスは前記メモリには記憶されていない旨を前記表示画面に表示する第二の処理と、
からなるものであるプログラム。
【請求項１１】
前記プログラムが行う処理として、
前記電話番号または前記メールアドレスに対して発呼またはメール送信を行うか否かの問い合わせを前記表示画面に表示する第三の処理と、
ユーザが発呼またはメール送信を行うことを選択した場合には、前記電話番号または前記メールアドレスに対して発呼またはメール送信を行う第四の処理と、
をさらに備えることを特徴とする請求項１０に記載のプログラム。
【請求項１２】
無線通信を司る無線部と、データを表示する表示画面を有する表示装置と、を備える携帯端末装置の使用方法をコンピュータに実行させるためのプログラムであって、
前記プログラムが行う処理は、
前記携帯端末装置が受信またはアクセスしたデータ中に含まれる電話番号またはメールアドレスと、インターネット上において公開されている電話番号またはメールアドレスとの照合を行う第一の処理と、
前記電話番号または前記メールアドレスが前記インターネット上において公開されている電話番号またはメールアドレスと一致する場合には、前記電話番号または前記メールアドレスに関して前記インターネット上において公開されている情報を前記表示装置の前記表示画面に表示し、前記電話番号または前記メールアドレスが前記インターネット上において公開されている電話番号またはメールアドレスと一致しない場合には、前記電話番号または前記メールアドレスは前記インターネット上において公開されている情報ではない旨を前記表示画面に表示する第二の処理と、
からなるものであるプログラム。
【請求項１３】
前記プログラムが行う処理として、
前記電話番号または前記メールアドレスに対して発呼またはメール送信を行うか否かの問い合わせを前記表示画面に表示する第三の処理と、
ユーザが発呼またはメール送信を行うことを選択した場合には、前記電話番号または前記メールアドレスに対して発呼またはメール送信を行う第四の処理と、
をさらに備えることを特徴とする請求項１２に記載のプログラム。
【発明の詳細な説明】
【技術分野】
【０００１】
本発明は携帯端末装置及びその使用方法に関する。
【背景技術】
【０００２】
図９に示すように、従来の携帯電話装置１００においては、着信時に、相手方の携帯電話装置の電話番号１０１と併せて、予めメモリ１０２に記憶されている電話帳１０３の情報に基づいて、相手方の氏名１０４を表示することが可能となっている（例えば、特許文献１及び２）。
【特許文献１】特開２０００−３２２３４５号公報
【特許文献２】特開２００６−１４０７９０号公報
【発明の開示】
【発明が解決しようとする課題】
【０００３】
しかしながら、従来の携帯電話装置においては、メール、ショートメッセージサービス（ＳＭＳ）またはウェブコンテンツに記載されている電話番号やメールアドレスに関しては、そのままでは氏名その他の情報を表示することは不可能であり、誰を示す電話番号やメールアドレスであるのかがわかりにくく、不明瞭であるという問題点があった。
【０００４】
このため、これらの電話番号やメールアドレスの確認を行う作業が発生したり、あるいは、その確認を怠ると、ユーザの意図しない発信先に対して発信を行ってしまうという二次的な問題も発生していた。
【０００５】
また、電話番号やメールアドレスを補足するような情報、例えば、所有者を示す情報が記載されていたとしても、それが本当に正しいか否かについての検証は行うことは不可能である。このため、相手方がいわゆる「なりすまし」を行っている可能性があり、セキュリティに関しても問題点が未解決のままであった。
【０００６】
本発明は、上記のような従来の携帯電話装置における問題点に鑑みてなされたものであり、外部から提供される電話番号またはメールアドレスに対して補足情報を付加することにより、それらの電話番号またはメールアドレスの信頼度を向上させることができる携帯電話装置その他の携帯端末装置及びその使用方法を提供することを目的とする。
【課題を解決するための手段】
【０００７】
この目的を達成するため、本発明は、無線通信を司る無線部と、各種データを記憶するメモリまたは外部のメモリに記憶されているデータを読み出す外部メモリインターフェイスと、データを表示する表示画面を有する表示装置と、前記無線部、前記メモリ及び前記表示装置の動作を制御する中央演算処理装置と、を備える携帯端末装置であって、前記中央演算処理装置は、前記携帯端末装置が受信またはアクセスしたデータ中に含まれる電話番号またはメールアドレスと、前記メモリに既に記憶されている電話番号またはメールアドレスとの照合を行い、前記電話番号または前記メールアドレスが前記メモリに既に記憶されている電話番号またはメールアドレスと一致する場合には、前記電話番号または前記メールアドレスに関して前記メモリに記憶されている情報を前記表示装置の前記表示画面に表示し、前記電話番号または前記メールアドレスが前記メモリに既に記憶されている電話番号またはメールアドレスと一致しない場合には、前記電話番号または前記メールアドレスは前記メモリには記憶されていない旨を前記表示画面に表示することを特徴とする携帯端末装置を提供する。
【０００８】
前記中央演算処理装置は、前記電話番号または前記メールアドレスに対して発呼またはメール送信を行うか否かの問い合わせを前記表示画面に表示し、ユーザが発呼またはメール送信を行うことを選択した場合には、前記電話番号または前記メールアドレスに対して発呼またはメール送信を行うことが好ましい。
【０００９】
本発明は、さらに、無線通信を司る無線部と、各種データを記憶するメモリまたは外部のメモリに記憶されているデータを読み出す外部メモリインターフェイスと、データを表示する表示画面を有する表示装置と、前記無線部、前記メモリ及び前記表示装置の動作を制御する中央演算処理装置と、を備える携帯端末装置であって、前記中央演算処理装置は、前記携帯端末装置が受信またはアクセスしたデータ中に含まれる電話番号またはメールアドレスと、インターネット上において公開されている電話番号またはメールアドレスとの照合を行い、前記電話番号または前記メールアドレスが前記インターネット上において公開されている電話番号またはメールアドレスと一致する場合には、前記電話番号または前記メールアドレスに関して前記インターネット上において公開されている情報を前記表示装置の前記表示画面に表示し、前記電話番号または前記メールアドレスが前記インターネット上において公開されている電話番号またはメールアドレスと一致しない場合には、前記電話番号または前記メールアドレスは前記インターネット上において公開されている情報ではない旨を前記表示画面に表示することを特徴とする携帯端末装置を提供する。
【００１０】
前記中央演算処理装置は、前記電話番号または前記メールアドレスに対して発呼またはメール送信を行うか否かの問い合わせを前記表示画面に表示し、ユーザが発呼またはメール送信を行うことを選択した場合には、前記電話番号または前記メールアドレスに対して発呼またはメール送信を行うことが好ましい。
【００１１】
前記携帯端末装置は、例えば、携帯電話装置から構成することができる。
【００１２】
本発明は、さらに、無線通信を司る無線部と、各種データを記憶するメモリまたは外部のメモリに記憶されているデータを読み出す外部メモリインターフェイスと、データを表示する表示画面を有する表示装置と、を備える携帯端末装置の使用方法であって、前記携帯端末装置が受信またはアクセスしたデータ中に含まれる電話番号またはメールアドレスと、前記メモリに既に記憶されている電話番号またはメールアドレスとの照合を行う第一の過程と、前記電話番号または前記メールアドレスが前記メモリに既に記憶されている電話番号またはメールアドレスと一致する場合には、前記電話番号または前記メールアドレスに関して前記メモリに記憶されている情報を前記表示画面に表示し、前記電話番号または前記メールアドレスが前記メモリに既に記憶されている電話番号またはメールアドレスと一致しない場合には、前記電話番号または前記メールアドレスは前記メモリには記憶されていない旨を前記表示画面に表示する第二の過程と、を備えることを特徴とする携帯端末装置の使用方法を提供する。
【００１３】
本発明に係る方法は、前記電話番号または前記メールアドレスに対して発呼またはメール送信を行うか否かの問い合わせを前記表示画面に表示する第三の過程と、ユーザが発呼またはメール送信を行うことを選択した場合には、前記電話番号または前記メールアドレスに対して発呼またはメール送信を行う第四の過程と、をさらに備えることができる。
【００１４】
本発明は、さらに、無線通信を司る無線部と、データを表示する表示画面を有する表示装置と、を備える携帯端末装置の使用方法であって、前記携帯端末装置が受信またはアクセスしたデータ中に含まれる電話番号またはメールアドレスと、インターネット上において公開されている電話番号またはメールアドレスとの照合を行う第一の過程と、前記電話番号または前記メールアドレスが前記インターネット上において公開されている電話番号またはメールアドレスと一致する場合には、前記電話番号または前記メールアドレスに関して前記インターネット上において公開されている情報を前記表示装置の前記表示画面に表示し、前記電話番号または前記メールアドレスが前記インターネット上において公開されている電話番号またはメールアドレスと一致しない場合には、前記電話番号または前記メールアドレスは前記インターネット上において公開されている情報ではない旨を前記表示画面に表示する第二の過程と、を備えることを特徴とする携帯端末装置の使用方法を提供する。
【００１５】
本発明に係る方法は、前記電話番号または前記メールアドレスに対して発呼またはメール送信を行うか否かの問い合わせを前記表示画面に表示する第三の過程と、ユーザが発呼またはメール送信を行うことを選択した場合には、前記電話番号または前記メールアドレスに対して発呼またはメール送信を行う第四の過程と、をさらに備えることができる。
【００１６】
本発明は、さらに、無線通信を司る無線部と、各種データを記憶するメモリと、データを表示する表示画面を有する表示装置と、を備える携帯端末装置の使用方法をコンピュータに実行させるためのプログラムであって、前記プログラムが行う処理は、前記携帯端末装置が受信またはアクセスしたデータ中に含まれる電話番号またはメールアドレスと、前記メモリに既に記憶されている電話番号またはメールアドレスとの照合を行う第一の処理と、前記電話番号または前記メールアドレスが前記メモリに既に記憶されている電話番号またはメールアドレスと一致する場合には、前記電話番号または前記メールアドレスに関して前記メモリに記憶されている情報を前記表示画面に表示し、前記電話番号または前記メールアドレスが前記メモリに既に記憶されている電話番号またはメールアドレスと一致しない場合には、前記電話番号または前記メールアドレスは前記メモリには記憶されていない旨を前記表示画面に表示する第二の処理と、からなるものであるプログラムを提供する。
【００１７】
前記プログラムが行う処理として、前記電話番号または前記メールアドレスに対して発呼またはメール送信を行うか否かの問い合わせを前記表示画面に表示する第三の処理と、ユーザが発呼またはメール送信を行うことを選択した場合には、前記電話番号または前記メールアドレスに対して発呼またはメール送信を行う第四の処理と、をさらに備えることが好ましい。
【００１８】
本発明は、さらに、無線通信を司る無線部と、データを表示する表示画面を有する表示装置と、を備える携帯端末装置の使用方法をコンピュータに実行させるためのプログラムであって、前記プログラムが行う処理は、前記携帯端末装置が受信またはアクセスしたデータ中に含まれる電話番号またはメールアドレスと、インターネット上において公開されている電話番号またはメールアドレスとの照合を行う第一の処理と、前記電話番号または前記メールアドレスが前記インターネット上において公開されている電話番号またはメールアドレスと一致する場合には、前記電話番号または前記メールアドレスに関して前記インターネット上において公開されている情報を前記表示装置の前記表示画面に表示し、前記電話番号または前記メールアドレスが前記インターネット上において公開されている電話番号またはメールアドレスと一致しない場合には、前記電話番号または前記メールアドレスは前記インターネット上において公開されている情報ではない旨を前記表示画面に表示する第二の処理と、からなるものであるプログラムを提供する。
【００１９】
前記プログラムが行う処理として、前記電話番号または前記メールアドレスに対して発呼またはメール送信を行うか否かの問い合わせを前記表示画面に表示する第三の処理と、ユーザが発呼またはメール送信を行うことを選択した場合には、前記電話番号または前記メールアドレスに対して発呼またはメール送信を行う第四の処理と、をさらに備えることが好ましい。
【発明の効果】
【００２０】
本発明に係る携帯電話装置においては、中央演算処理装置は、液晶表示装置の表示画面に表示された電子メール、ショートメッセージサービス（ＳＭＳ）またはウェブサイト内のデータから電話番号またはメールアドレスを取得し、取得した電話番号またはメールアドレスが内蔵メモリに保持されている電話帳に載っている電話番号またはメールアドレスの何れかと一致するか否かを判定する。取得した電話番号またはメールアドレスが電話帳に載っている電話番号またはメールアドレスの何れかと一致する場合には、中央演算処理装置は、その電話番号またはメールアドレスに対応するリストに格納されている情報を取得した電話番号とともに液晶表示装置の表示画面に表示する。取得した電話番号またはメールアドレスが電話帳に載っている電話番号またはメールアドレスの何れとも一致しない場合には、中央演算処理装置は、取得した電話番号またはメールアドレスは電話帳には登録されていないものである旨を液晶表示装置の表示画面に表示する。
【００２１】
このように、本発明に係る携帯電話装置においては、内蔵メモリに保持されている電話帳内のデータを信頼できる情報として活用する。これにより、単なる数字やアルファベットの組み合わせとして表現される電話番号またはメールアドレスに対して、信頼性の高い電話帳の情報を付加することができる。その結果、ユーザは、取得した電話番号またはメールアドレスが電話帳内に既に登録されている情報であり、かつ、誰を指し示す情報であるかを容易に確認することが可能となる。
【００２２】
また、取得した電話番号またはメールアドレスが電話帳内に登録されているデータではない場合には、その旨がユーザに対して報知される。このため、ユーザが自分の意図しない宛先へ発信することを事前に防止することが可能となる。
【発明を実施するための最良の形態】
【００２３】
（第一の実施形態）
図１（Ａ）は本発明の第一の実施形態に係る携帯電話装置２００を前方から見た場合の斜視図であり、図１（Ｂ）は本発明の第一の実施形態に係る携帯電話装置２００を後方から見た場合の斜視図である。
【００２４】
図１（Ａ）及び図１（Ｂ）に示すように、本実施形態に係る携帯電話装置２００は、携帯電話装置２００のほぼ半分をなす上部筐体２２１と、携帯電話装置２００のほぼ半分をなす下部筐体２２２と、上部筐体２２１と下部筐体２２２とを相互に回動可能に連結するヒンジ部分２２３と、から構成されている。
【００２５】
すなわち、本実施形態に係る携帯電話装置２００は、いわゆる折り畳み式の携帯電話装置である。
【００２６】
ヒンジ部分２２３は、上部筐体２２１または下部筐体２２２の一部として形成されてもよく、あるいは、上部筐体２２１及び下部筐体２２２とは別個の独立の部品として形成されてもよい。
【００２７】
図１（Ａ）に示すように、上部筐体２２１の上端にはアンテナ２１２が取り付けられている。また、上部筐体２２１の前面（携帯電話装置２００を折り畳んだときに、下部筐体２２２と対向する側の面）には液晶表示装置２０３の表示画面が配置されており、さらに、液晶表示装置２０３の表示画面の上方にはスピーカ２１０が設けられている。
【００２８】
図１（Ａ）に示すように、下部筐体２２２の前面（携帯電話装置２００を折り畳んだときに、上部筐体２２１と対向する側の面）には、キー入力回路２０４を構成する各種キーが配列されており、各種キーの下方にはマイク１１１が配置されている。
【００２９】
また、図１（Ｂ）に示すように、下部筐体２２２の背面（携帯電話装置２００を折り畳んだときに、上部筐体２２１とは対向しない側の面）には、ヒンジ部分２２３に近い位置において、カメラ２０５が配置されている。
【００３０】
図２は、本実施形態に係る携帯電話装置２００の構造を示すブロック図である。
【００３１】
図２に示すように、本実施形態に係る携帯電話装置２００は、中央演算処理装置（ＣＰＵ）２０１と、内蔵メモリ２０２と、液晶表示装置（ＬＣＤ）２０３と、キー入力回路２０４と、カメラ２０５と、スピーカ２１０と、マイク２１１と、アンテナ２１２と、無線部２１３と、を備えている。
【００３２】
中央演算処理装置２０１は、本実施形態に係る携帯電話装置２００の全体の作動を制御する。具体的には、内蔵メモリ２０２、液晶表示装置２０３、キー入力回路２０４、カメラ２０５及び無線部２１３の動作を制御する。
【００３３】
内蔵メモリ２０２は、中央演算処理装置２０１の動作を制御する制御プログラムを格納するほか、電話帳、メール、スケジュール、メモ、音声、画像、動画などの様々なデータを格納する。
【００３４】
液晶表示装置２０３は、上部筐体２２１に配置されている表示画面に各種データを表示する。例えば、キー入力回路２０４を介してユーザが入力したデータ、相手方の携帯電話装置から入力したメールまたはショートメッセージサービス（ＳＭＳ）の内容、その他ユーザが指定した各種データを表示画面に表示する。
【００３５】
また、中央演算処理装置２０１はブラウザ機能を有しており、携帯電話装置２００がアクセスしたウェブサイトの画像も液晶表示装置２０３の表示画面に表示される。
【００３６】
キー入力回路２０４は、テンキー、機能キーその他の各種キーを含んだキーボードからなるボタンスイッチ群から構成されている。
【００３７】
カメラ２０５は、下部筐体２２２の背面に配置されているレンズを介して静止画像及び動的画像を撮像する。撮像された画像データは中央演算処理装置２０１を介して内蔵メモリ２０２に保存される。
【００３８】
無線部２１３は、アンテナ２１２を介して相手方の携帯電話装置から受信したデータを復調する。受信したデータが音声信号である場合には、その音声信号により表される音声はスピーカ２１０を介して出力される。また、受信したデータが画像信号である場合には、その画像信号により表される画像は中央演算処理装置２０１を介して液晶表示装置２０３の表示画面に表示される。
【００３９】
さらに、無線部２１３はユーザがマイク２１１を介して入力した音声あるいはキー入力回路２０４を介して入力されたデータを変調し、アンテナ２１２を介して相手方の携帯電話装置に送信する。
【００４０】
図３は、本実施形態に係る携帯電話装置２００の動作を示すフローチャートである。
【００４１】
以下、図３を参照して、本実施形態に係る携帯電話装置２００の動作を説明する。
【００４２】
待ち受け状態にある携帯電話装置２００（ステップＳ１０）が、電子メールまたはショートメッセージサービス（ＳＭＳ）によるメッセージを受信した場合、あるいは、ウェブサイトにアクセスした場合、電子メール、メッセージまたはウェブサイトの内容が液晶表示装置２０３の表示画面に表示される（ステップＳ１１）。
【００４３】
次いで、中央演算処理装置２０１は、液晶表示装置２０３の表示画面に表示されたデータから電話番号またはメールアドレスを選択し、これらを調査キーワードとして取得する（ステップＳ１２）。
【００４４】
次いで、中央演算処理装置２０１は、取得した電話番号またはメールアドレスについて検索を行う（ステップＳ１３）。
【００４５】
具体的には、中央演算処理装置２０１は、取得した電話番号またはメールアドレスが内蔵メモリ２０２に保持されている電話帳に載っている電話番号またはメールアドレスの何れかと一致するか否かを判定する（ステップＳ１４）。
【００４６】
図４は、中央演算処理装置２０１が行う検索の状況を示す概念図である。
【００４７】
図４に示すように、内蔵メモリ２０２に格納されている電話帳２０６には複数のリスト２０７が記憶されており、各リスト２０７には、ＩＤ番号、名前、電話番号、メールアドレスその他の情報（住所、勤務先の住所及び電話番号その他の個人情報）が格納されている。
【００４８】
中央演算処理装置２０１は、例えば、取得した電話番号２０８が複数のリスト２０７に格納されている電話番号の何れかと一致するか否かを判定する。
【００４９】
取得した電話番号またはメールアドレスが電話帳２０６に載っている電話番号またはメールアドレスの何れとも一致しない場合には（ステップＳ１４のＮＯ）、中央演算処理装置２０１は、取得した電話番号またはメールアドレスは電話帳２０６には登録されていないものである旨を液晶表示装置２０３の表示画面に表示する（ステップＳ１５）。
【００５０】
図５はそのような表示の一例を示している。図５に示すように、例えば、取得した電話番号２０８と、「電話帳に未登録です」の表示２０９が液晶表示装置２０３の表示画面に表示される。
【００５１】
取得した電話番号またはメールアドレスが電話帳２０６に載っている電話番号またはメールアドレスの何れかと一致する場合には（ステップＳ１４のＹＥＳ）、中央演算処理装置２０１は、その電話番号またはメールアドレスに対応するリスト２０７に格納されている情報を取得した電話番号とともに液晶表示装置２０３の表示画面に表示する（ステップＳ１６）。
【００５２】
図６は、取得した電話番号またはメールアドレスが電話帳２０６に載っている電話番号またはメールアドレスの何れかと一致する場合の表示の一例を示している。図６に示すように、取得した電話番号２０８とともに、その電話番号２０８に対応するリスト２０７に格納されている情報２１４が液晶表示装置２０３の表示画面に表示される。
【００５３】
次いで、中央演算処理装置２０１は、取得した電話番号またはメールアドレスが電話帳２０６に載っている電話番号またはメールアドレスの何れとも一致しない場合（ステップＳ１４のＮＯ）及び取得した電話番号またはメールアドレスが電話帳２０６に載っている電話番号またはメールアドレスの何れかと一致する場合（ステップＳ１４のＹＥＳ）の双方において、取得した電話番号またはメールアドレスに対して発呼またはメール送信（すなわち、返信）を行うか否かの問い合わせを液晶表示装置２０３の表示画面に表示する（ステップＳ１７）。
【００５４】
例えば、図５及び図６に示すように、取得した電話番号またはメールアドレスに対して発呼またはメール送信を行うか否かの問い合わせとして「ＯＫ」の表示２１５が表示２０９または情報２１４とともに表示される。
【００５５】
この問い合わせに対して、ユーザが発呼またはメール送信を行うことを選択した場合には（ステップＳ１７のＹＥＳ）、中央演算処理装置２０１は、取得した電話番号またはメールアドレスに対して発呼またはメール送信を行う（ステップＳ１８）。
【００５６】
この問い合わせに対して、ユーザが発呼またはメール送信を行うことを選択しない場合には（ステップＳ１７のＮＯ）、中央演算処理装置２０１は、携帯電話装置２００を待ち受け状態（ステップＳ１０）に戻す。
【００５７】
本実施形態に係る携帯電話装置２００によれば、以下のような効果を奏する。
【００５８】
本実施形態に係る携帯電話装置２００においては、内蔵メモリ２０２に保持されている電話帳２０６内のデータを信頼できる情報として活用する。これにより、単なる数字やアルファベットの組み合わせとして表現される電話番号またはメールアドレスに対して、信頼性の高い電話帳２０６の情報を付加することができる。
【００５９】
その結果、ユーザは、取得した電話番号またはメールアドレスが電話帳２０６内に既に登録されている情報であり、かつ、誰を指し示す情報であるかを容易に確認することが可能となる。
【００６０】
また、取得した電話番号またはメールアドレスが電話帳２０６内に登録されているデータではない場合には、その旨がユーザに対して報知される。このため、ユーザが自分の意図しない宛先へ発信することを事前に防止することが可能となる。
【００６１】
（第二の実施形態）
上述の第一の実施形態に係る携帯電話装置２００においては、取得した電話番号またはメールアドレスを電話帳２０６内に登録されている電話番号またはメールアドレスと照合したが、取得した電話番号またはメールアドレスの照合先は電話帳２０６内に登録されている電話番号またはメールアドレスには限定されない。
【００６２】
図７は、本発明の第二の実施形態に係る携帯電話装置２５０の作動状況を示す概念図である。
【００６３】
本実施形態に係る携帯電話装置２５０は第一の実施形態に係る携帯電話装置２００と同じ構造を有している。本実施形態に係る携帯電話装置２５０は、第一の実施形態に係る携帯電話装置２００と比較して、取得した電話番号またはメールアドレスの照合先が異なっている。
【００６４】
本実施形態に係る携帯電話装置２５０においては、取得した電話番号またはメールアドレスの照合先として、図７に示されているように、インターネット２５１上に公に公開されている電話帳２５２を用いている。電話帳２５２としては、信頼性の高いものを予め選定しておく。
【００６５】
従って、本実施形態に係る携帯電話装置２５０においては、図３に示したフローチャートのステップＳ１４において、中央演算処理装置２０１は、取得した電話番号またはメールアドレスが、インターネット２５１上に公に公開されている電話帳２５２に載っている電話番号またはメールアドレスの何れかと一致するか否かを判定する。
【００６６】
本実施形態に係る携帯電話装置２５０によっても、第一の実施形態に係る携帯電話装置２００と同様の効果を得ることができる。
【００６７】
また、電話帳２５２のバックアップをネットワーク側において保持するサービスもキャリアで行われており、このバックアップした電話帳データと、電子メールやウェブコンテンツ内の電話番号またはメールアドレスとをアプリケーションサーバ上で事前に調査を行い、その調査結果も電子メールの一部またはウェブコンテンツの一部として携帯電話装置２５０に送ることにより、ユーザビリティの向上を図ることができる。
【００６８】
なお、本実施形態に係る携帯電話装置２５０においては、内蔵メモリ２０２が電話帳２０６を記憶していることは必ずしも必要ではない。
【００６９】
（第三の実施形態）
図８は、本発明の第三の実施形態に係る携帯電話装置３００の構造を示すブロック図である。
【００７０】
本実施形態に係る携帯電話装置３００は、第一の実施形態に係る携帯電話装置２００と比較して、外部メモリインターフェイス２６０を追加的に備えている。
【００７１】
外部メモリインターフェイス２６０には外部メモリ２６１が挿入され、中央演算処理装置２０１は外部メモリインターフェイス２６０を介して外部メモリ２６１に記憶されているデータを読み取ることができるようになっている。
【００７２】
このため、外部メモリ２６１に電話帳２０６（図４参照）を予め記憶させておくことによって、中央演算処理装置２０１は、取得した電話番号またはメールアドレスの照合先として、外部メモリ２６１に記憶されている電話帳を用いることができる。
【００７３】
従って、本実施形態に係る携帯電話装置３００においては、図３に示したフローチャートのステップＳ１４において、中央演算処理装置２０１は、取得した電話番号またはメールアドレスが、外部メモリ２６１に記憶されている電話帳に載っている電話番号またはメールアドレスの何れかと一致するか否かを判定する。
【００７４】
本実施形態に係る携帯電話装置３００によっても、第一の実施形態に係る携帯電話装置２００と同様の効果を得ることができる。
【００７５】
なお、本実施形態に係る携帯電話装置３００においては、内蔵メモリ２０２が電話帳２０６を記憶していることは必ずしも必要ではない。
【図面の簡単な説明】
【００７６】
【図１】図１（Ａ）は本発明の第一の実施形態に係る携帯電話装置を前方から見た場合の斜視図であり、図１（Ｂ）は本発明の第一の実施形態に係る携帯電話装置を後方から見た場合の斜視図である。
【図２】図２は本発明の第一の実施形態に係る携帯電話装置の構造を示すブロック図である。
【図３】図３は本発明の第一の実施形態に係る携帯電話装置の動作を示すフローチャートである。
【図４】図４は、本発明の第一の実施形態に係る携帯電話装置における中央演算処理装置が行う検索の状況を示す概念図である。
【図５】図５は、取得した電話番号またはメールアドレスが電話帳に載っている電話番号またはメールアドレスの何れとも一致しない場合に、本発明の第一の実施形態に係る携帯電話装置に表示される表示の一例を示す平面図である。
【図６】図６は、取得した電話番号またはメールアドレスが電話帳に載っている電話番号またはメールアドレスの何れかと一致する場合に、本発明の第一の実施形態に係る携帯電話装置に表示される表示の一例を示す平面図である。
【図７】図７は、本発明の第二の実施形態に係る携帯電話装置の作動状況を示す概念図である。
【図８】図８は本発明の第三の実施形態に係る携帯電話装置の構造を示すブロック図である。
【図９】従来の携帯電話装置の作動状況を示す概念図である。
【符号の説明】
【００７７】
２００  本発明の第一の実施形態に係る携帯電話装置
２２１  上部筐体
２２２  下部筐体
２２３  ヒンジ部分
２０１  中央演算処理装置（ＣＰＵ）
２０２  内蔵メモリ
２０３  液晶表示装置（ＬＣＤ）
２０４  キー入力回路
２０５  カメラ
２０６  電話帳
２０７  リスト
２０８  電話番号
２０９  表示
２１０  スピーカ
２１１  マイク
２１２  アンテナ
２１３  無線部
２１４  情報
２１５  表示
２５０  本発明の第二の実施形態に係る携帯電話装置
２５１  インターネット
２５２  電話帳
３００  本発明の第三の実施形態に係る携帯電話装置
２６０  外部メモリインターフェイス
２６１  外部メモリ
【図１】
2008244724.tif 000003
【図２】
2008244724.tif 000004
【図３】
2008244724.tif 000005
【図８】
2008244724.tif 000006
【図４】
2008244724.tif 000007
【図５】
2008244724.tif 000008
【図６】
2008244724.tif 000009
【図７】
2008244724.tif 000010
【図９】
2008244724.tif 000011